【手続補正書】
【提出日】平成30年9月3日(2018.9.3)
【手続補正１】
【補正対象書類名】明細書
【補正対象項目名】０００８
【補正方法】変更
【補正の内容】
【０００８】
上記目的を達成するために、本発明は、規定数の遊技媒体の投入下における遊技開始操作を契機に、複数種類の当選エリアの中から所定の当選エリアを決定する内部抽選を行う内部抽選手段と、所定条件の成立に基づいて遊技に関する特典を遊技者に付与することを決定する特典付与決定手段と、前記特典の付与の決定により前記特典を遊技者に付与するよう制御する特典付与制御手段と、前記特典の付与が決定したことを所定の装置で遊技者に報知する特典報知手段と、を備える遊技機であって、前記複数種類の当選エリアに特殊エリアが含まれており、前記特殊エリアとして、前記規定数の遊技媒体の投入によらずに次回の遊技を開始可能とさせる再遊技役が含まれる第１特殊エリアと、所定枚数の前記遊技媒体を遊技者に払い出し可能な小役が含まれる第２特殊エリアと、が設けられ、前記特典付与制御手段は、前記特典付与決定手段により前記特典の付与が決定した第１状態において前記内部抽選で前記特殊エリアに当選した場合には、前記特典を付与するよう制御する一方、前記特典付与決定手段により前記特典の付与が決定していない第２状態において前記内部抽選で前記特殊エリアに当選した場合には、前記特典を付与しないよう制御し、前記特典報知手段は、前記第１状態における前記内部抽選で前記特殊エリアに当選したことを契機に第１装置で前記特典の付与が決定したことを報知すると共に、前記第１装置と異なる第２装置で前記特典の付与が決定したことを報知することを特徴とする。
【手続補正２】
【補正対象書類名】明細書
【補正対象項目名】００１３
【補正方法】変更
【補正の内容】
【００１３】
なお、上記構成において、前記内部抽選で決定された当選エリアに対応付けられた役の種別を遊技者に報知する役種別報知手段を備え、前記役種別報知手段は、前記第２状態における前記内部抽選で前記第１特殊エリアに当選し、かつ、前記ストップスイッチが前記第１態様で操作された場合に、前記内部抽選で決定された当選エリアに対応付けられた役の種別が前記再遊技役であることを遊技者に報知し、前記第２状態における前記内部抽選で前記第２特殊エリアに当選し、かつ、前記ストップスイッチが前記第２態様で操作された場合に、前記内部抽選で決定された当選エリアに対応付けられた役の種別が前記小役であることを遊技者に報知することを特徴とする構成であっても良い。
【手続補正３】
【補正対象書類名】明細書
【補正対象項目名】０１６０
【補正方法】変更
【補正の内容】
【０１６０】
また、第１実施形態例では、ＡＲＴモード移行決定状態（第１状態）における内部抽選で特殊エリア（特殊リプ、特殊小役）に当選したことによりサブモニタ６に表示された特殊画像（図１９（ｂ）参照）を、全てのリールが停止したタイミングで他の画像（図１９（ｆ）に示す画像）に切り替える構成になっている。即ち、スロットマシンＳは、ＡＲＴモード移行決定状態（第１状態）における内部抽選で特殊エリアに当選した場合には、全てのリールの回転開始と略同期させて（遊技開始時に）特殊画像をサブモニタ６に表示し、全てのリールの回転が停止するのと略同期させて特殊画像を異なる画像に切り替える構成になっている。
ところで、主制御処理部１００は、内部抽選で決定された当選エリアに係る役に対応付けられた図柄の組合せが有効ラインＬ１に表示されているか否かを遊技毎に判定し、この判定結果に応じて様々な処理を実行している（図９のＳ９、Ｓ１０、Ｓ１１等）。例えば、内部抽選で特殊リプ１に当選した場合には、特殊リプ１に対応付けられたＲＥＰ１〜５のうち何れかの再遊技役に対応する図柄の組合せが有効ラインＬ１に表示されているか否かを判断し、当該図柄の組合せが有効ラインＬ１に表示されたことに応じて、スロットマシンＳを再遊技状態に設定する。
ここで、図８に示すように、ＡＲＴモード移行決定状態における内部抽選で特殊リプ１に当選したとき、サブモニタ６に特殊リプ１に対応する特殊画像が表示されるが、このとき、ストップボタンが中押しで操作され、かつ、有効ラインＬ１に「赤７図柄」が停止可能な４コマ滑りの範囲内で操作（第１特殊操作態様で操作）されると、例えば、左リール３０ａの上段、中リール３０ｂの中段、右リール３０ｃの下段に赤７図柄がそれぞれ表示されてスロットマシンＳが再遊技状態となる（図５（ａ）参照）。このため、全てのリールの停止後もなお、サブモニタ６に特殊画像が表示され続けると、遊技者は、有効ラインＬ１と異なる無効ラインに三つの赤７図柄が直線状に揃ったことによって、次回の遊技をメダルの投入無しに行える結果となったとの間違った認識をしてしまう虞があり、遊技結果の誤認を招来する。そこで、第１実施形態例では、全てのリールが停止した状態において、三つの赤７図柄の組合せ（二つの赤７図柄および一つの黒ＢＡＲ図柄の組合せ）に係る特殊画像をサブモニタ６に表示しないよう制御しているため、遊技結果の誤認を防止することができる。
【手続補正４】
【補正対象書類名】特許請求の範囲
【補正対象項目名】全文
【補正方法】変更
【補正の内容】
【特許請求の範囲】
【請求項１】
規定数の遊技媒体の投入下における遊技開始操作を契機に、複数種類の当選エリアの中から所定の当選エリアを決定する内部抽選を行う内部抽選手段と、所定条件の成立に基づいて遊技に関する特典を遊技者に付与することを決定する特典付与決定手段と、前記特典の付与の決定により前記特典を遊技者に付与するよう制御する特典付与制御手段と、前記特典の付与が決定したことを所定の装置で遊技者に報知する特典報知手段と、を備える遊技機であって、
前記複数種類の当選エリアに特殊エリアが含まれており、前記特殊エリアとして、前記規定数の遊技媒体の投入によらずに次回の遊技を開始可能とさせる再遊技役が含まれる第１特殊エリアと、所定枚数の前記遊技媒体を遊技者に払い出し可能な小役が含まれる第２特殊エリアと、が設けられ、
前記特典付与制御手段は、
前記特典付与決定手段により前記特典の付与が決定した第１状態において前記内部抽選で前記特殊エリアに当選した場合には、前記特典を付与するよう制御する一方、前記特典付与決定手段により前記特典の付与が決定していない第２状態において前記内部抽選で前記特殊エリアに当選した場合には、前記特典を付与しないよう制御し、
前記特典報知手段は、
前記第１状態における前記内部抽選で前記特殊エリアに当選したことを契機に第１装置で前記特典の付与が決定したことを報知すると共に、前記第１装置と異なる第２装置で前記特典の付与が決定したことを報知する
ことを特徴とする遊技機。
【請求項２】
請求項１の記載において、
外周面に複数の図柄が配列された複数のリールと、前記遊技開始操作を契機に前記複数のリールを回転させると共に、前記複数のリールごとに対応するストップスイッチの操作を契機に前記リールを停止させるリール制御手段と、を備え、
前記リール制御手段は、
前記内部抽選で前記第１特殊エリアに当選した場合に、前記ストップスイッチが第１態様で操作されたことに基づいて、前記複数のリールを第１停止態様で停止するよう制御する一方、前記ストップスイッチが前記第１態様以外の態様で操作されたことに基づいて、前記複数のリールを前記第１停止態様と異なる停止態様で停止するよう制御し、
前記内部抽選で前記第２特殊エリアに当選した場合に、前記ストップスイッチが第２態様で操作されたことに基づいて、前記複数のリールを第２停止態様で停止するよう制御する一方、前記ストップスイッチが前記第２態様以外の態様で操作されたことに基づいて、前記複数のリールを前記第２停止態様と異なる停止態様で停止するよう制御し、
前記特典報知手段は、
前記第１状態における前記内部抽選で前記第１特殊エリアに当選したことを契機に、前記ストップスイッチを前記第１態様で操作するよう指示する報知を行うことにより前記特典の付与が決定したことを報知し、
前記第１状態における前記内部抽選で前記第２特殊エリアに当選したことを契機に、前記ストップスイッチを前記第２態様で操作するよう指示する報知を行うことにより前記特典の付与が決定したことを報知する
ことを特徴とする遊技機。